(57)【要約】【課題】複数の表示装置に対する給電のオン／オフをユーザが容易な操作で行うことができる表示システム、表示制御装置及びコンピュータプログラムを提供する。【解決手段】ＰＣ１及びモニタ３ａ〜３ｃにそれぞれ通信部を設けて相互に通信可能とし、ＰＣ１は通信部２２を介して各モニタ３ａ〜３ｃの給電状態が変化したことを判断し、優先順位の高い一のモニタ３ａ〜３ｃの給電状態が変化した場合、優先順位の低い他のモニタ３ａ〜３ｃへ給電状態を変化させる命令を送信することで、他のモニタ３ａ〜３ｃの給電オン／オフを制御する。また、ＰＣ１は、各モニタ３ａ〜３ｃの優先順位の設定をユーザから受け付けることができる。【選択図】図１
2010039076.tif 000002
【特許請求の範囲】
【請求項１】
画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、
前記表示装置は、前記表示制御装置との間で情報の送受信を行う通信手段をそれぞれ有し、
前記表示制御装置は、
内部回路への給電のオン／オフに係る優先順位を、前記複数の表示装置にそれぞれ設定する設定手段と、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態が変化したときに、前記一の表示装置より優先順位が低い他の表示装置の給電状態を、前記一の表示装置と同じ給電状態へ変化させる制御を行う給電制御手段と
を有すること
を特徴とする表示システム。
【請求項２】
画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、
前記表示装置は、前記表示制御装置との間で情報の送受信を行う通信手段をそれぞれ有し、
前記表示制御装置は、
内部回路への給電のオン／オフに係る優先順位を、前記複数の表示装置にそれぞれ設定する設定手段と、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態がオン状態からオフ状態へ変化したときに、前記一の表示装置より優先順位が低い他の表示装置の給電状態をオフ状態へ変化させる制御を行う給電制御手段と
を有すること
を特徴とする表示システム。
【請求項３】
前記表示制御装置は、前記一の表示装置の給電状態がオン状態からオフ状態へ変化したときに、前記他の表示装置の給電状態を前記給電状態取得手段により取得して記憶する給電状態記憶手段を有し、
前記表示制御装置の給電制御手段は、前記一の表示装置の給電状態がオフ状態からオン状態へ変化したときに、前記給電状態記憶手段が記憶した給電状態へ前記他の表示装置の給電状態を復帰させるようにしてあること
を特徴とする請求項２に記載の表示システム。
【請求項４】
前記表示制御装置の給電制御手段は、前記一の表示装置の給電状態がオフ状態からオン状態へ変化したときに、前記一の表示装置より優先順位が高い他の表示装置の給電状態をオン状態へ変化させるようにしてあること
を特徴とする請求項２に記載の表示システム。
【請求項５】
前記表示装置は、前記操作部にて給電のオン／オフの操作を受け付けた場合に、前記通信手段により前記表示制御装置へ給電状態を通知する給電状態通知手段を有し、
前記表示制御装置の給電状態取得手段は、前記給電状態通知手段の通知により各表示装置の給電状態を取得するようにしてあること
を特徴とする請求項１乃至請求項４のいずれか１つに記載の表示システム。
【請求項６】
前記表示制御装置は、前記複数の表示装置の優先順位に係る設定を受け付ける受付手段を有し、
前記表示制御装置の設定手段は、前記受付手段が受け付けた設定に基づいて、前記複数の表示装置の優先順位を設定するようにしてあること
を特徴とする請求項１乃至請求項５のいずれか１つに記載の表示システム。
【請求項７】
画像表示に係る内部回路への給電のオン／オフの操作を受け付ける操作部をそれぞれ有する複数の表示装置に、表示のための画像をそれぞれ与えて画像を表示させる表示制御装置において、
内部回路への給電のオン／オフに係る優先順位を、前記複数の表示装置にそれぞれ設定する設定手段と、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態が変化したときに、前記一の表示装置より優先順位が低い他の表示装置の給電状態を、前記一の表示装置と同じ給電状態へ変化させる制御を行う給電制御手段と
を備えること
を特徴とする表示制御装置。
【請求項８】
画像表示に係る内部回路への給電のオン／オフの操作を受け付ける操作部をそれぞれ有する複数の表示装置に、表示のための画像をそれぞれ与えて画像を表示させる表示制御装置において、
内部回路への給電のオン／オフに係る優先順位を、前記複数の表示装置にそれぞれ設定する設定手段と、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態がオン状態からオフ状態へ変化したときに、前記一の表示装置より優先順位が低い他の表示装置の給電状態をオフ状態へ変化させる制御を行う給電制御手段と
を備えること
を特徴とする表示制御装置。
【請求項９】
前記一の表示装置の給電状態がオン状態からオフ状態へ変化したときに、前記他の表示装置の給電状態を前記給電状態取得手段により取得して記憶する給電状態記憶手段を備え、
前記給電制御手段は、前記一の表示装置の給電状態がオフ状態からオン状態へ変化したときに、前記給電状態記憶手段が記憶した給電状態へ前記他の表示装置の給電状態を復帰させるようにしてあること
を特徴とする請求項８に記載の表示制御装置。
【請求項１０】
前記給電制御手段は、前記一の表示装置の給電状態がオフ状態からオン状態へ変化したときに、前記一の表示装置より優先順位が高い他の表示装置の給電状態をオン状態へ変化させるようにしてあること
を特徴とする請求項８に記載の表示制御装置。
【請求項１１】
表示のための画像をそれぞれ与えて複数の表示装置に画像を表示させるコンピュータに、
画像表示に係る内部回路への給電のオン／オフに係る優先順位を、前記複数の表示装置にそれぞれ設定させるステップと、
給電状態が変化した一の表示装置より優先順位が低い他の表示装置の給電状態を、前記一の表示装置と同じ給電状態へ変化させる制御を行うステップと
を含むこと
を特徴とするコンピュータプログラム。
【請求項１２】
表示のための画像をそれぞれ与えて複数の表示装置に画像を表示させるコンピュータに、
画像表示に係る内部回路への給電のオン／オフに係る優先順位を、前記複数の表示装置にそれぞれ設定させるステップと、
給電状態がオフ状態へ変化した一の表示装置より優先順位が低い他の表示装置の給電状態をオフ状態へ変化させる制御を行うステップと
を含むこと
を特徴とするコンピュータプログラム。
【請求項１３】
コンピュータに、
前記一の表示装置の給電状態がオン状態からオフ状態へ変化したときに、前記他の表示装置の給電状態を記憶させるステップと、
前記一の表示装置の給電状態がオフ状態からオン状態へ変化したときに、記憶した給電状態へ前記他の表示装置の給電状態を復帰させるステップと
を含むこと
を特徴とする請求項１２に記載のコンピュータプログラム。
【請求項１４】
コンピュータに、
前記一の表示装置の給電状態がオフ状態からオン状態へ変化したときに、前記一の表示装置より優先順位が高い他の表示装置の給電状態をオン状態へ変化させる制御を行うステップを含むこと
を特徴とする請求項１２に記載のコンピュータプログラム。
【発明の詳細な説明】
【技術分野】
【０００１】
本発明は、ＰＣ（Personal Computer）などの表示制御装置にモニタなどの複数の表示装置を接続した所謂マルチモニタ環境の表示システム、並びにこの表示システムを構成する表示制御装置及びコンピュータプログラムに関する。
【背景技術】
【０００２】
近年、１つのＰＣに複数のモニタを接続し、各モニタにそれぞれ異なる情報を表示することができるマルチモニタ環境の表示システムが普及し始めている。マルチウインドウシステムのＯＳ（Operating System）を搭載したＰＣでは複数のアプリケーションを起動して同時的に使用することができるが、１つのモニタの表示領域には限りがあるため、ユーザは表示するウインドウを切り替えながら作業を行う必要がある。モニタのサイズを大型化することで表示領域を拡大することができるが高コストであるという問題があり、前述のようなマルチモニタ環境の表示システムを構成することによって比較的低コストで表示領域の拡大を実現することができる。また、現存する１つのモニタで表示できる解像度以上の画像表示を行う必要がある場合に、複数のモニタを並べて配置し、複数のモニタに亘って１つの画像を表示することで大画像の表示を実現することができる。更には、マルチモニタ環境の表示システムでは、ユーザが使用していないモニタの給電をオフすることができるため、電力消費を低減することができるという利点もある。
【０００３】
しかし、マルチモニタ環境の表示システムでは、各モニタの電源スイッチをユーザが操作して、複数のモニタの給電を個別にオン／オフする必要があり、操作が煩わしいため、本来不要なモニタをオフせずに、無駄に電力を消費してしまうという問題があった。また、ＰＣでの作業の終了後にユーザがいくつかのモニタの給電をオフにすることを忘れる虞があり、消し忘れたモニタによる電力消費を招く虞がある。
【０００４】
マルチモニタ環境の表示システムにおける複数のモニタの制御については種々の発明がなされている。特許文献１においては、例えば会議室用として使用される複数個のサブモニタをデイジーチェイン接続し、コンピュータで複数個のサブモニタをそれぞれ制御することができる画像通信システムのモニタ制御装置及び制御方法が提案されている。このモニタ制御方法では、複数のモニタと相互に通信が可能な通信部を有するコンピュータを管理者が操作して、制御しようとするモニタを選択し、選択されたモニタに対して制御しようとする機能及びデータ値を制御データとして入力する。各モニタに内蔵されたマイクロコンピュータは、制御データに応じてそれぞれのモニタを制御すると共に、他のモニタに対する制御データであればこの制御データを他のモニタへ転送する。
【０００５】
特許文献２においては、外付けの分配機を用いることなく、複数の表示装置に同一の表示内容を表示させることができる映像信号分配機能付き表示装置が提案されている。この表示装置は内部に映像信号分配機能と分配機能停止スイッチとを備えており、複数台の表示装置をデイジーチェイン接続することができ、接続された複数台の表示装置に同一画像を同時に表示させることができる。また、分配機能停止スイッチにより、表示に不要な表示装置に対しては、表示を中止させてパワーセーブさせることができる。
【０００６】
特許文献３においては、各表示装置の電源をオフさせるための待ち時間をユーザが個別に設定できる表示装置電源管理方法が提案されている。この方法では、同一の表示内容を同時に複数の表示装置に表示させることができる電子機器にて、表示装置の電源をオフ状態にするまでの待ち時間を個別に設定する。待ち時間が設定された表示装置のうち、接続状態に変化がなく、且つ、入力装置に変化がない状態の接続時間が待ち時間に達した表示装置があった場合、その表示装置の電源をオフにする。
【０００７】
特許文献４においては、ホスト装置に表示装置を複数接続しても、表示装置自らが電源管理を行うことができる画像表示システムが提案されている。この画像表示システムでは、ホスト装置から送信される画像信号に基づいて画像を表示する状態と、メモリ回路に記憶された画像信号に基づいて画像を表示する状態とを、同期信号に基づいて切り替える同期回路が表示装置に設けられている。また、ホスト装置の接続制御回路と、表示装置の接続処理回路とが、表示装置の電源を制御するための接続監視線によって接続され、表示装置の接続処理回路が接続監視線によりホスト装置との接続状態を監視している。これにより、同期信号が途絶えた場合に、メモリ回路に記憶された画像信号に基づいて画像を表示するか、電源管理を行うかを、ホスト装置との接続状態に応じて表示装置が個別に判断することができる。
【特許文献１】特開平１０−１２４０１８号公報
【特許文献２】特開２０００−２９８４６２号公報
【特許文献３】特開２００４−３６２１５６号公報
【特許文献４】特開２００２−７２９９０号公報
【発明の開示】
【発明が解決しようとする課題】
【０００８】
しかしながら、特許文献１に記載のモニタ制御装置及び制御方法は、複数のユーザがそれぞれ１つのモニタを使用する環境において、複数のモニタが接続されたコンピュータを管理者が操作することで、各モニタの制御を管理者が一括して行う構成である。各モニタの電源のオン／オフについても管理者がコンピュータを操作して行う必要があるため操作が煩わしいという問題がある。各モニタの電源のオン／オフが管理者依存となってしまい、管理者が不在のときには各モニタの電源のオン／オフを制御できないという問題がある。１人のユーザが複数のモニタを利用する上述のようなマルチモニタ環境の表示システムであれば、各モニタの電源スイッチを操作する方がむしろ操作が容易である。
【０００９】
特許文献２に記載の映像信号分配機能付き表示装置は、複数の表示装置に同一の表示を行う構成であるため、各モニタが異なる表示を行う上述のようなマルチモニタ環境の表示システムには適さない。また特許文献２に記載の映像信号分配機能付き表示装置は、不要な表示装置に対して表示を中止させることができるが、各操作装置に設けられた分配機能停止スイッチを個別に操作する必要があるため、操作が煩わしいという問題がある。
【００１０】
特許文献３に記載の表示装置電源管理方法は、同一の表示を行う複数の表示装置について、電源オフまでの待ち時間を個別に設定する構成である。よって、各モニタが異なる表示を行う上述のようなマルチモニタ環境の表示システムには適さない。また、入力がない場合に電源を自動的にオフするまでの時間設定に係る発明であるため、ユーザが電源スイッチなどを操作して電源のオン／オフを行う際の操作の煩わしさを改善することはできない。
【００１１】
特許文献４に記載の画像表示システムは、表示装置が接続監視線によりホスト装置との接続状態を監視し、ホスト装置からの同期信号が途絶えた場合に、ホスト装置との接続状態に応じて電源管理を行うか否かを表示装置が個別に判断する構成であり、ホスト装置の電源がオフになった場合に表示装置が個別に電源管理を行って自動的に電源をオフにすることができる。しかし、ホスト装置に接続された複数の表示装置をオフするためには、ホスト装置の電源をオフにしなければならないため、例えば電源をオフすることができないサーバ装置に接続された複数の表示装置については、電源を自動的にオフすることはできない。
【００１２】
本発明は、斯かる事情に鑑みてなされたものであって、その目的とするところは、表示制御装置に複数の表示装置が接続されたマルチモニタ環境の表示システムにて、優先順位の高い一の表示装置の給電がユーザの操作でオン／オフされた場合に、優先順位の低い他の表示装置の給電状態を自動的に変化させることで、複数の表示装置に対する給電のオン／オフをユーザが容易な操作で行うことができる表示システム、表示制御装置及びコンピュータプログラムを提供することにある。
【課題を解決するための手段】
【００１３】
第１発明に係る表示システムは、画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、前記表示装置は、前記表示制御装置との間で情報の送受信を行う通信手段をそれぞれ有し、前記表示制御装置は、内部回路への給電のオン／オフに係る優先順位を、前記複数の表示装置にそれぞれ設定する設定手段と、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態が変化したときに、前記一の表示装置より優先順位が低い他の表示装置の給電状態を、前記一の表示装置と同じ給電状態へ変化させる制御を行う給電制御手段とを有することを特徴とする。
【００１４】
また、第２発明に係る表示システムは、画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、前記表示装置は、前記表示制御装置との間で情報の送受信を行う通信手段をそれぞれ有し、前記表示制御装置は、内部回路への給電のオン／オフに係る優先順位を、前記複数の表示装置にそれぞれ設定する設定手段と、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態がオン状態からオフ状態へ変化したときに、前記一の表示装置より優先順位が低い他の表示装置の給電状態をオフ状態へ変化させる制御を行う給電制御手段とを有することを特徴とする。
【００１５】
また、第３発明に係る表示システムは、前記表示制御装置が、前記一の表示装置の給電状態がオン状態からオフ状態へ変化したときに、前記他の表示装置の給電状態を前記給電状態取得手段により取得して記憶する給電状態記憶手段を有し、前記表示制御装置の給電制御手段は、前記一の表示装置の給電状態がオフ状態からオン状態へ変化したときに、前記給電状態記憶手段が記憶した給電状態へ前記他の表示装置の給電状態を復帰させるようにしてあることを特徴とする。
【００１６】
また、第４発明に係る表示システムは、前記表示制御装置の給電制御手段は、前記一の表示装置の給電状態がオフ状態からオン状態へ変化したときに、前記一の表示装置より優先順位が高い他の表示装置の給電状態をオン状態へ変化させるようにしてあることを特徴とする。
【００１７】
また、第５発明に係る表示システムは、前記表示装置が、前記操作部にて給電のオン／オフの操作を受け付けた場合に、前記通信手段により前記表示制御装置へ給電状態を通知する給電状態通知手段を有し、前記表示制御装置の給電状態取得手段は、前記給電状態通知手段の通知により各表示装置の給電状態を取得するようにしてあることを特徴とする。
【００１８】
また、第６発明に係る表示システムは、前記表示制御装置が、前記複数の表示装置の優先順位に係る設定を受け付ける受付手段を有し、前記表示制御装置の設定手段は、前記受付手段が受け付けた設定に基づいて、前記複数の表示装置の優先順位を設定するようにしてあることを特徴とする。
【００１９】
また、第７発明に係る表示制御装置は、画像表示に係る内部回路への給電のオン／オフの操作を受け付ける操作部をそれぞれ有する複数の表示装置に、表示のための画像をそれぞれ与えて画像を表示させる表示制御装置において、内部回路への給電のオン／オフに係る優先順位を、前記複数の表示装置にそれぞれ設定する設定手段と、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態が変化したときに、前記一の表示装置より優先順位が低い他の表示装置の給電状態を、前記一の表示装置と同じ給電状態へ変化させる制御を行う給電制御手段とを備えることを特徴とする。
【００２０】
また、第８発明に係る表示制御装置は、画像表示に係る内部回路への給電のオン／オフの操作を受け付ける操作部をそれぞれ有する複数の表示装置に、表示のための画像をそれぞれ与えて画像を表示させる表示制御装置において、内部回路への給電のオン／オフに係る優先順位を、前記複数の表示装置にそれぞれ設定する設定手段と、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態がオン状態からオフ状態へ変化したときに、前記一の表示装置より優先順位が低い他の表示装置の給電状態をオフ状態へ変化させる制御を行う給電制御手段とを備えることを特徴とする。
【００２１】
また、第９発明に係る表示制御装置は、前記一の表示装置の給電状態がオン状態からオフ状態へ変化したときに、前記他の表示装置の給電状態を前記給電状態取得手段により取得して記憶する給電状態記憶手段を備え、前記給電制御手段は、前記一の表示装置の給電状態がオフ状態からオン状態へ変化したときに、前記給電状態記憶手段が記憶した給電状態へ前記他の表示装置の給電状態を復帰させるようにしてあることを特徴とする。
【００２２】
また、第１０発明に係る表示制御装置は、前記給電制御手段が、前記一の表示装置の給電状態がオフ状態からオン状態へ変化したときに、前記一の表示装置より優先順位が高い他の表示装置の給電状態をオン状態へ変化させるようにしてあることを特徴とする。
【００２３】
また、第１１発明に係るコンピュータプログラムは、表示のための画像をそれぞれ与えて複数の表示装置に画像を表示させるコンピュータに、画像表示に係る内部回路への給電のオン／オフに係る優先順位を、前記複数の表示装置にそれぞれ設定させるステップと、給電状態が変化した一の表示装置より優先順位が低い他の表示装置の給電状態を、前記一の表示装置と同じ給電状態へ変化させる制御を行うステップとを含むことを特徴とする。
【００２４】
また、第１２発明に係るコンピュータプログラムは、表示のための画像をそれぞれ与えて複数の表示装置に画像を表示させるコンピュータに、画像表示に係る内部回路への給電のオン／オフに係る優先順位を、前記複数の表示装置にそれぞれ設定させるステップと、給電状態がオフ状態へ変化した一の表示装置より優先順位が低い他の表示装置の給電状態をオフ状態へ変化させる制御を行うステップとを含むことを特徴とする。
【００２５】
また、第１３発明に係るコンピュータプログラムは、コンピュータに、前記一の表示装置の給電状態がオン状態からオフ状態へ変化したときに、前記他の表示装置の給電状態を記憶させるステップと、前記一の表示装置の給電状態がオフ状態からオン状態へ変化したときに、記憶した給電状態へ前記他の表示装置の給電状態を復帰させるステップとを含むことを特徴とする。
【００２６】
また、第１４発明に係るコンピュータプログラムは、コンピュータに、前記一の表示装置の給電状態がオフ状態からオン状態へ変化したときに、前記一の表示装置より優先順位が高い他の表示装置の給電状態をオン状態へ変化させる制御を行うステップを含むことを特徴とする。
【００２７】
本発明においては、表示制御装置と複数の表示装置との間で通信を行う手段をそれぞれに設けて、表示制御装置が表示装置の給電状態を取得する。また複数の表示装置には、予めユーザが設定するなどの方法で静的に、又はユーザの使用状況などに応じて動的に、優先順位を付す。表示制御装置は、各表示装置の優先順位を判定し、ユーザの操作で優先順位の高い一の表示装置の給電がオン／オフされた場合に、優先順位の低い他の表示装置の給電を自動的にオン／オフする。これにより、ユーザは一の表示装置に対する給電のオン／オフ操作を行うのみで、複数の表示装置の給電を一括してオン／オフすることができる。
また、優先順位の低い他の表示装置に対してユーザが給電のオン／オフ操作を行った場合には、操作が行われた表示装置のみ給電のオン／オフを行う。優先順位を付さずに、いずれかの表示装置の給電がオン／オフされた場合に残りの表示装置の給電を連動してオン／オフする構成とした場合、使用しない表示装置のみを部分的に給電オフとすることができないが、本発明のように優先順位に応じて給電のオン／オフを行うことによって、複数の表示装置のうち部分的な給電オフを行うことが可能となる。
【００２８】
また本発明においては、表示制御装置が各表示装置の優先順位を比較し、ユーザの操作で優先順位の高い一の表示装置の給電がオフされた場合に、優先順位の低い他の表示装置の給電を自動的にオフする。これにより、ユーザは一の表示装置に対する給電のオフ操作を行うのみで、複数の表示装置の給電を一括してオフすることができる。
このように給電をオフする場合のみ複数の表示装置の給電を一括してオフする構成としてもよい。表示装置の給電をオンする際には、給電オン後すぐにユーザが全ての表示装置を使用するとは限らないため、ユーザの使用に応じて表示装置の給電を順次オンしていく方がよい場合もある。このような場合には、給電オフのみ一括して行い、給電オンはユーザが個別に行う構成が好適である。
【００２９】
ただし、給電オン後すぐにユーザが複数の表示装置を使用する可能性もあり、この場合には複数の表示装置の給電オンをユーザが個別に行う構成とすると操作が煩わしい。そこで、本発明においては、優先順位の高い一の表示装置の給電がオフされて他の表示装置の給電をオフする場合に、表示制御装置は各表示装置の給電のオン／オフの状態を記憶して、他の表示装置を給電オフする。その後、一の表示装置が給電オンされた場合、表示制御装置は記憶した給電状態に応じて他の表示装置の給電状態を復帰させる。給電オフの直前にユーザが使用していた表示装置は、次に給電オンされた後にもユーザが使用する可能性が高いため、給電オフ前の状態に各表示装置の給電状態を復帰させることで、ユーザの使用に適した給電状態の制御を行うことができる。
【００３０】
また、表示装置の給電をオンするときには、いずれの表示装置の操作部に給電オン操作がなされた場合であっても、優先順位の高い表示装置については給電オンさせることが好適な事もある。そこで本発明においては、一の表示装置に給電オン操作がなされた場合、この一の表示装置より優先順位の高い他の表示装置を給電オンさせる。これにより、ユーザの使用に適した給電状態の制御を行うことができる。
【００３１】
また本発明においては、ユーザにより表示装置の操作部に対して給電オン／オフの操作がなされた場合に、表示装置が表示制御装置へ給電状態を通知する。これにより表示制御装置は各表示装置の給電状態を取得することができ、優先順位の高い一の表示装置の給電状態が変化したか否かを判断することができる。
【００３２】
また本発明においては、複数の表示装置の優先順位をユーザが予め設定する構成とする。１人のユーザが複数の表示装置を使用する場合、各表示装置の性能、大きさ及び配置等からユーザが主として使用する表示装置が自ずと決められる。そこで、ユーザは主として使用する表示装置の優先順位を最も高く設定し、最も使用頻度の低い表示装置の優先順位を最も低く設定する。表示制御装置はユーザの設定を受け付けて、この設定に従って各表示装置の優先順位を判定することができる。
【００３３】
なお上述の表示制御装置が行う処理は、表示制御装置がＰＣのような機器の場合、コンピュータプログラムとして提供することが可能である。この場合、ＣＤ（Compact Disc）などの記録媒体に記録されたコンピュータプログラムを表示制御装置にインストールすることによって、複数の表示装置の給電オン／オフに係る処理を表示制御装置が行うことができる。
【発明の効果】
【００３４】
本発明による場合は、優先順位の高い一の表示装置の給電状態が変化した場合に、優先順位の低い他の表示装置の給電状態を自動的に変化させる構成とすることにより、ユーザは優先順位の高い一の表示装置に対する給電のオン／オフ操作を行うのみで、複数の表示装置の給電を一括してオン／オフすることができるため、複数の表示装置の給電オン／オフに係る操作性を向上することができる。また、優先順位の低い他の表示装置は個別に給電オン／オフを行うことができるため、使用頻度の低い表示装置の給電をオフして電力消費を低減することができる。
【発明を実施するための最良の形態】
【００３５】
（実施の形態１）
以下、本発明をその実施の形態を示す図面に基づき具体的に説明する。図１及び図２は、本発明に係る表示システムの構成を示すブロック図であり、図１には表示システムを構成する表示制御装置の詳細を図示し、図２には表示システムを構成する表示装置の詳細を図示してある。図において１はＰＣであり、本発明の表示システムを構成する表示制御装置に相当する。また図において３ａ〜３ｃはそれぞれモニタであり、本発明の表示システムを構成する表示装置に相当する。図示の例では１つのＰＣ１に３つのモニタ３ａ〜３ｃをそれぞれケーブル５で接続することにより表示システムが構成されている。なお、図２においてモニタ３ａのみ詳細な構成を図示するが、他の２つのモニタ３ｂ及び３ｃの構成はモニタ３ａと同様であるため図示を省略する。
【００３６】
表示システムのＰＣ１は、ＣＰＵ（Central Processing Unit）１１、メモリ１２、表示処理部１３、操作部１４、ハードディスク１５及びディスクドライブ１６等を備える汎用のコンピュータである。また、本発明のＰＣ１は、モニタ３ａ〜３ｃを接続するために３つの接続部２０ａ〜２０ｃを備えており、各接続部２０ａ〜２０ｃがそれぞれケーブル５を介してモニタ３ａ〜３ｃに接続される。
【００３７】
ＣＰＵ１１は、ハードディスク１５に予めインストールされた種々のプログラムを読み出して実行することにより、ＰＣ１内の各部の制御処理及び各種の演算処理等を行う。また、本発明のＰＣ１は、ＣＰＵ１１がハードディスク１５に予めインストールされた給電制御プログラム５０を読み出して実行することにより、接続部２０ａ〜２０ｃに接続されたモニタ３ａ〜３ｃに対する給電オン／オフの制御処理（詳細は後述する）を行うことができる。
【００３８】
メモリ１２は、ＳＲＡＭ（Static Random Access Memory）又はＤＲＡＭ（Dynamic Random Access Memory）等のメモリ素子で構成されており、ハードディスク１５から読み出したプログラム及びデータ、並びにＣＰＵ１１の演算過程で生じたデータ等を一時的に記憶する。表示処理部１３は、モニタ３ａ〜３ｃに表示するための画像生成及び生成した画像に対する種々の画像処理を行い、画像データを接続部２０ａ〜２０ｃへ与える。操作部１４は、キーボード及びマウス等の装置で構成され、ユーザによる操作を受け付けてＣＰＵ１１へ通知する処理を行う。
【００３９】
ハードディスク１５は、大容量の磁気ディスクで構成される記憶装置であり、ＰＣ１を動作させるためのＯＳ（Operating System）及びアプリケーションプログラム等の種々のプログラム、並びにこれらのプログラムが使用するデータ等を記憶している。特に、本発明のＰＣ１では、ハードディスク１５に給電制御プログラム５０が予めインストールされて記憶されている。ディスクドライブ１６は、ＣＤ又はＤＶＤ（Digital Versatile Disk）等の光ディスクによる記録媒体に対して、データの読み出し及び書き込みを行うものである。ディスクドライブ１６により光ディスクからプログラム及びデータを読み出してハードディスク１５に記憶することにより、プログラム及びデータのインストールを行うことができる。
【００４０】
接続部２０ａ〜２０ｃは、例えばＤＶＩ（Digital Visual Interface）規格の接続端子を有しており、モニタ３ａ〜３ｃとそれぞれ１本のケーブル５で接続されるが、各モニタ３ａ〜３ｃへ画像信号を出力することができると共に、双方向の通信を行うことができる。各接続部２０ａ〜２０ｃは、画像信号出力部２１及び通信部２２を有している。画像信号出力部２１は、表示処理部１３から与えられた画像データを、ケーブル５での送受信に適した形式の画像信号に変換し、ケーブル５を介してモニタ３ａ〜３ｃへ画像信号を出力する。
【００４１】
通信部２２は、例えばＤＤＣ／ＣＩ（Display Data Channel / Command Interface）の規格によりケーブル５を介してモニタ３ａ〜３ｃと双方向の通信を行うものである。通信部２２は、ＣＰＵ１１の制御に応じてモニタ３ａ〜３ｃへ給電オン／オフの命令、並びに明度及び彩度等の設定変更の命令等を送信すると共に、前記給電制御プログラム５０によりモニタ３ａ〜３ｃの給電状態（給電オンであるか又は給電オフであるか）並びに明度及び彩度等の設定値等の送信要求に対する応答を受信してＣＰＵ１１へ通知する。これらによりＰＣ１は、接続部２０ａ〜２０ｃにそれぞれ接続された３つのモニタ３ａ〜３ｃの給電状態を取得することができると共に、各モニタ３ａ〜３ｃの給電オン／オフを個別に制御することができる。
【００４２】
モニタ３ａ〜３ｃは、表示部３２、操作部３３、給電部３４、表示処理部３５及び接続部３６と、これら各部の制御を行う制御部３１とを備えて構成されている。表示部３２は、例えば液晶パネル又はＰＤＰ（Plasma Display Panel）等で構成され、表示処理部３５から与えられた画像信号に応じて画像の表示を行う。表示処理部３５は、ＰＣ１から与えられた画像信号を、表示部３２の表示に適した画像信号に変換すると共に、設定された条件に応じて明度及び彩度等の調整を行い、画像信号を表示部３２へ与える。
【００４３】
操作部３３は、モニタ３ａ〜３ｃの筺体に配設された複数のスイッチなどで構成されており、ユーザによる給電のオン／オフ操作、並びに明度及び彩度等の設定値の変更操作等を受け付け、制御部３１へ通知する。給電部３４は、商用の交流の電力を直流の電力に変換し、モニタ３ａ〜３ｃの各部（特に、画像表示に係る内部回路）へ供給するものであり、制御部３１によって給電の開始／停止を制御されている。
【００４４】
接続部３６は、例えばＤＶＩ規格の接続端子を有しており、ＰＣ１と１本のケーブル５で接続されるが、ＰＣ１から出力された画像信号を取得すると共に、ＰＣ１と双方向の通信を行うことができる。接続部３６は、画像信号入力部３７及び通信部３８を有している。画像信号入力部３７は、ＰＣ１から与えられた画像信号を取得して表示処理部３５へ与える。
【００４５】
通信部３８は、例えばＤＤＣ／ＣＩの規格によりケーブル５を介してＰＣ１と双方向の通信を行う。通信部３８は、ＰＣ１からの要求に応じて、モニタ３ａ〜３ｃの給電状態、並びに明度及び彩度等の設定値等をＰＣ１へ送信すると共に、ＰＣ１から送信された給電オン／オフの命令及び設定値の変更命令等を受信して制御部３１へ通知する。
【００４６】
制御部３１は、モニタ３ａ〜３ｃの各部の動作の制御処理及び各種の演算処理等を行うものである。また、本発明のモニタ３ａ〜３ｃの制御部３１は、給電部３４の動作を制御することによって各部への給電を制御することができ、即ちモニタ３ａ〜３ｃの給電オン／オフを制御することができる。制御部３１は、操作部３３にてユーザによる給電のオン／オフ操作が受け付けられた場合に給電部３４による各部への給電の開始／停止を行うと共に、ＰＣ１からの要求に応じて通信部３８によりＰＣ１へ給電状態の通知を行う。また制御部３１は、通信部３８にて受信したＰＣ１からの給電オン／オフの命令に応じて給電の開始／停止を行う。
【００４７】
なお、本発明において「給電オフ」の状態は、モニタ３ａ〜３ｃの表示部３２及び表示処理部３５等の画像表示に係る内部回路は給電が停止されて動作していない状態であるが、少なくとも操作部３３による給電オン操作の受け付け、通信部３８による給電オン命令の受け付け、及び制御部３１による給電部３４から各部への給電開始の制御は行うことができる状態であり、所謂「スタンバイ」の状態を含むものである。また「給電オン」の状態は、表示部３２及び表示処理部３５が給電されて動作し、モニタ３ａ〜３ｃが表示部３２に画像を表示している状態である。
【００４８】
次に、本発明に係る表示システムにおけるモニタ３ａ〜３ｃの給電オン／オフの制御処理について説明する。図３及び図４は、本発明の実施の形態１に係る表示システムの給電制御処理を説明するための模式図であり、図３には給電をオフにする場合の一例が示してあり、図４には給電をオンにする場合の一例が示してある。
【００４９】
ＰＣ１に接続された３つのモニタ３ａ〜３ｃには、予め優先順位が付してある。本例では、各モニタ３ａ〜３ｃの優先順位を「高」又は「低」のいずれかにユーザが予め設定しておくものとし、モニタ３ａの優先順位が「高」に設定され、モニタ３ｂ及び３ｃの優先順位が「低」に設定されているものとする。
【００５０】
ＰＣ１は、定期的に通信部２２から各モニタ３ａ〜３ｃへ給電状態の取得要求を送信し、これに対して各モニタ３ａ〜３ｃから通知された給電状態を取得することによって、各モニタ３ａ〜３ｃの給電状態を定期的に判断している。これによりＰＣ１は、モニタ３ａ〜３ｃの操作部３３に対する操作が行われて、モニタ３ａ〜３ｃの給電状態が給電オンから給電オフへ変化したこと、及び、給電オフから給電オンへ変化したことを判断できる。
【００５１】
３つのモニタ３ａ〜３ｃの全てが給電オンの状態において（図３（ａ）参照）、優先順位が高いモニタ３ａの操作部３３に対してユーザの給電オフ操作がなされた場合、モニタ３ａの給電がオフされると共に、ＰＣ１は通信部２２が行う通信によりモニタ３ａの給電状態を取得する。これにより、ＰＣ１はモニタ３ａの給電状態が給電オンから給電オフに変化したと認識し、優先順位が低い他のモニタ３ｂ及び３ｃへ給電オフの命令を送信する。給電オフの命令を受信したモニタ３ｂ及び３ｃは給電部３４から各部への給電を停止して給電をオフし、全てのモニタ３ａ〜３ｃが給電オフ状態となる（図３（ｂ）参照）。
【００５２】
これに対して、３つのモニタ３ａ〜３ｃの全てが給電オンの状態において（図３（ａ）参照）、優先順位が低いモニタ３ｂの操作部３３に対してユーザの給電オフ操作がなされた場合、モニタ３ｂの給電がオフされると共に、ＰＣ１は通信部２２が行う通信によりモニタ３ｂの給電状態を取得する。これにより、ＰＣ１はモニタ３ｂの給電状態が給電オンから給電オフに変化したと認識するが、モニタ３ｂの優先順位が低いためＰＣ１が他のモニタ３ａ及び３ｃの給電をオフすることはない（図３（ｃ）参照）。図示は省略するが、優先順位が低いモニタ３ｃに対して給電オフ操作がなされた場合も同様に、モニタ３ｃのみが給電オフとなる。
【００５３】
また、３つのモニタ３ａ〜３ｃが給電オフの状態において（図４（ａ）参照）、優先順位が高いモニタ３ａの操作部３３に対してユーザの給電オン操作がなされた場合、モニタ３ａの給電がオンされると共に、ＰＣ１は通信部２２が行う通信によりモニタ３ａの給電状態を取得する。これにより、ＰＣ１はモニタ３ａの給電状態が給電オフから給電オンに変化したと認識し、優先順位が低い他のモニタ３ｂ及び３ｃへ給電オンの命令を送信する。これにより優先順位が低い２つのモニタ３ｂ及び３ｃの給電がオンされて、全てのモニタ３ａ〜３ｃが給電オン状態となる（図４（ｂ）参照）。
【００５４】
これに対して、３つのモニタ３ａ〜３ｃが給電オフの状態において（図４（ａ）参照）、優先順位が低いモニタ３ｂの操作部３３に対してユーザの給電オン操作がなされた場合、モニタ３ｂの給電がオンされると共に、ＰＣ１は通信部２２が行う通信によりモニタ３ｂの給電状態を取得する。これにより、ＰＣ１はモニタ３ｂの給電状態が給電オフから給電オンに変化したと認識するが、モニタ３ｂの優先順位が低いためＰＣ１が他のモニタ３ａ及び３ｃの給電をオンすることはない（図４（ｃ）参照）。図示は省略するが、優先順位が低いモニタ３ｃに対して給電オン操作がなされた場合も同様に、モニタ３ｃのみが給電オンとなる。
【００５５】
即ち、ＰＣ１は、優先順位の高いモニタ３ａが操作されて給電状態がオンからオフへ又はオフからオンへ変化した場合に、優先順位が低い他のモニタ３ｂ及び３ｃの給電状態を、優先順位が高いモニタ３ａの給電状態と同じになるように制御する。また、ＰＣ１は、優先順位が低いモニタ３ｂの給電状態が変化した場合には、他のモニタ３ａ及び３ｃの給電状態を変化させない。これによりユーザは、モニタ３ａの優先順位を「高」に設定することで、モニタ３ａの操作部３３に対する給電オン／オフの操作を行うのみで、全てのモニタ３ａ〜３ｂの給電オン／オフを一括して行うことができる。
【００５６】
図５は、本発明の実施の形態１に係る表示システムの給電制御処理を説明するための模式図であり、図３及び図４とは優先順位の設定が異なる他の例を示してある。本例においては、モニタ３ａの優先順位を「高」に設定し、モニタ３ｂの優先順位を「中」に設定し、モニタ３ｃの優先順位を「低」に設定してある。
【００５７】
３つのモニタ３ａ〜３ｃが給電オンの状態において（図５（ａ）参照）、優先順位が最も高いモニタ３ａの給電オフ操作がなされた場合、全てのモニタ３ａ〜３ｃの給電がオフとなる（図５（ｂ）参照）。優先順位が２番目に高いモニタ３ｂの給電オフ操作がなされた場合には、これより優先順位が低いモニタ３ｃの給電が連動してオフされる（図５（ｃ）参照）。優先順位が最も低いモニタ３ｃの給電オフ操作がなされた場合、他のモニタ３ａ及び３ｂの給電はオフされない（図５（ｄ）参照）。
【００５８】
図６は、本発明に係る表示システムにおけるモニタ３ａ〜３ｃの優先順位の設定方法を説明するための模式図である。ＰＣ１は、ユーザの操作部１４の操作によってモニタ３ａ〜３ｃの優先順位を設定する要求が与えられた場合、図６に示す優先順位設定ウインドウ６０をモニタ３ａ〜３ｃのいずれか（いずれであってもよい）の表示部３２に表示する。優先順位設定ウインドウ６０には、３つのモニタ３ａ〜３ｃについて、優先順位を選択するためのプルダウンメニュー６１がそれぞれ設けられており、ユーザはＰＣ１の操作部１４のマウスを操作することによって、優先順位「高」「中」「低」のいずれかを選択することができる。プルダウンメニュー６１により優先順位を選択した後、優先順位設定ウインドウ６０に設けられたＯＫボタン６２をユーザが操作することによって、ＰＣ１にて優先順位設定が受け付けられ、各モニタ３ａ〜３ｃの優先順位が設定される。また、優先順位設定ウインドウ６０に設けられたキャンセルボタン６３が操作された場合には、ＰＣ１は優先順位設定受け付けずに、優先順位設定ウインドウ６０を閉じる。
【００５９】
図７は、本発明の実施の形態１に係る表示システムのモニタ３ａ〜３ｃが給電オン／オフの際に行う処理の手順を示すフローチャートであり、モニタ３ａ〜３ｃの制御部３１にて行われる処理である。また、図示のフローチャートはモニタ３ａ〜３ｃが給電オフの状態からの手順を示してある。モニタ３ａ〜３ｃの制御部３１は、操作部３３にて給電オンの操作がなされたか否かを判定し（ステップＳ１）、給電オンの操作がなされていない場合には（Ｓ１：ＮＯ）、通信部３８にてＰＣ１から給電オンの命令を受信したか否かを更に判定する（ステップＳ２）。給電オンの命令を受信していない場合（Ｓ２：ＮＯ）、制御部３１は、給電オン操作がなされるか、又は給電オンの命令を受信するまで待機する。
【００６０】
給電オンの操作がなされた場合（Ｓ１：ＹＥＳ）、又は給電オンの命令を受信した場合（Ｓ２：ＹＥＳ）、制御部３１は、給電部３４から各部への給電を開始して（ステップＳ３）、表示処理部３５による表示部３２への画像表示を開始する。
【００６１】
その後、制御部３１は、操作部３３にて給電オフの操作がなされたか否かを判定し（ステップＳ４）、給電オフの操作がなされていない場合には（Ｓ４：ＮＯ）、通信部３８にてＰＣ１から給電オフの命令を受信したか否かを更に判定する（ステップＳ５）。給電オフの命令を受信していない場合（Ｓ５：ＮＯ）、制御部３１は、給電オフの操作がなされるか、又は給電オンの命令を受信するまで待機する。
【００６２】
給電オフの操作がなされた場合（Ｓ４：ＹＥＳ）、又は給電オフの命令を受信した場合（Ｓ５：ＹＥＳ）、制御部３１は、給電部３４から各部への給電を停止し（ステップＳ６）、処理を終了する。
【００６３】
図８は、本発明の実施の形態１に係る表示システムのモニタ３ａ〜３ｃが行う処理の手順を示すフローチャートである。モニタ３ａ〜３ｃの制御部３１は、通信部３８にてＰＣ１からの給電状態の取得要求を受信したか否かを判定し（ステップＳ１１）、給電状態の取得要求を受信していない場合には（Ｓ１１：ＮＯ）、給電状態の取得要求を受信するまで待機する。給電状態の取得要求を受信した場合（Ｓ１１：ＹＥＳ）、制御部３１は給電状態（給電オン／オフ）をＰＣ１へ送信し（ステップＳ１２）、処理を終了する。
【００６４】
図９は、本発明の実施の形態１に係る表示システムのＰＣ１が行う給電オフ制御の処理手順を示すフローチャートであり、ＰＣ１のＣＰＵ１１が給電制御プログラム５０を実行することにより行われる処理である。なお、図示のフローチャートはモニタ３ａ〜３ｃの優先順位が「高」「中」「低」の３段階で設定されている場合である。
【００６５】
ＰＣ１のＣＰＵ１１は、各接続端子２０ａ〜２０ｃの通信部２２にて給電状態の取得要求を各モニタ３ａ〜３ｃへ送信し（ステップＳ２１）、給電状態の取得要求に応じてモニタ３ａ〜３ｃから通知される給電状態を全て取得したか否かを調べる（ステップＳ２２）。給電状態を取得していない場合（Ｓ２２：ＮＯ）、ＣＰＵ１１は全てのモニタ３ａ〜３ｃから給電状態を取得するまで待機する。
【００６６】
全てのモニタ３ａ〜３ｃから給電状態を取得した場合（Ｓ２２：ＹＥＳ）、ＣＰＵ１１は、モニタ３ａ〜３ｃのいずれかの給電状態が給電オンから給電オフに変化したか否かを判定し（ステップＳ２３）、給電状態が変化していなければ（Ｓ２３：ＮＯ）、ステップＳ２１へ戻り、上述の処理を繰り返し行う。給電状態が給電オンから給電オフに変化した場合（Ｓ２３：ＹＥＳ）、ＣＰＵ１１は、給電状態が変化したモニタ３ａ〜３ｃの優先順位を判定する（ステップＳ２４）。判定の結果、ＣＰＵ１１はこのモニタ３ａ〜３ｃの優先順位が「高」であるか否かを調べ（ステップＳ２５）、優先順位が「高」の場合（Ｓ２５：ＹＥＳ）、優先順位が「中」及び「低」の他のモニタ３ａ〜３ｃへ給電オフの命令を送信し（ステップＳ２７）、処理を終了する。
【００６７】
給電オフを通知したモニタ３ａ〜３ｃの優先順位が「高」でない場合（Ｓ２５：ＮＯ）、ＣＰＵ１１は、優先順位が「中」であるか否かを更に調べる（ステップＳ２６）。優先順位が「中」の場合（Ｓ２６：ＹＥＳ）、ＣＰＵ１１は、優先順位が「低」の他のモニタ３ａ〜３ｃへ給電オフの命令を送信し（ステップＳ２８）、処理を終了する。優先順位が「中」でない場合（Ｓ２６：ＮＯ）、即ち優先順位が「低」の場合、ＣＰＵ１１は給電オフの命令を送信せずに処理を終了する。
【００６８】
図１０は、本発明の実施の形態１に係る表示システムのＰＣ１が行う給電オン制御の処理手順を示すフローチャートである。ＰＣ１のＣＰＵ１１は、各接続端子２０ａ〜２０ｃの通信部２２にて給電状態の取得要求を各モニタ３ａ〜３ｃへ送信し（ステップＳ３１）、給電状態の取得要求に応じてモニタ３ａ〜３ｃから通知される給電状態を全て取得したか否かを調べる（ステップＳ３２）。給電状態を取得していない場合（Ｓ３２：ＮＯ）、ＣＰＵ１１は全てのモニタ３ａ〜３ｃから給電状態を取得するまで待機する。
【００６９】
全てのモニタ３ａ〜３ｃから給電状態を取得した場合（Ｓ３２：ＹＥＳ）、ＣＰＵ１１は、モニタ３ａ〜３ｃのいずれかの給電状態が給電オフから給電オンに変化したか否かを判定し（ステップＳ３３）、給電状態が変化していなければ（Ｓ３３：ＮＯ）、ステップＳ３１へ戻り、上述の処理を繰り返し行う。給電状態が給電オフから給電オンに変化した場合（Ｓ３３：ＹＥＳ）、ＣＰＵ１１は、給電状態が変化したモニタ３ａ〜３ｃの優先順位を判定する（ステップＳ３４）。判定の結果、ＣＰＵ１１はこのモニタ３ａ〜３ｃの優先順位が「高」であるか否かを調べ（ステップＳ３５）、優先順位が「高」の場合（Ｓ３５：ＹＥＳ）、優先順位が「中」及び「低」の他のモニタ３ａ〜３ｃへ給電オンの命令を送信し（ステップＳ３７）、処理を終了する。
【００７０】
給電オンを通知したモニタ３ａ〜３ｃの優先順位が「高」でない場合（Ｓ３５：ＮＯ）、ＣＰＵ１１は、優先順位が「中」であるか否かを更に調べる（ステップＳ３６）。優先順位が「中」の場合（Ｓ３６：ＹＥＳ）、ＣＰＵ１１は、優先順位が「低」の他のモニタ３ａ〜３ｃへ給電オンの命令を送信し（ステップＳ３８）、処理を終了する。優先順位が「中」でない場合（Ｓ３６：ＮＯ）、即ち優先順位が「低」の場合、ＣＰＵ１１は給電オンの命令を送信せずに処理を終了する。
【００７１】
以上の構成の実施の形態１に係る表示システムにおいては、ＰＣ１及びモニタ３ａ〜３ｃにそれぞれ通信部２２及び３８を設けて相互に通信可能とすることによって、ＰＣ１はモニタ３ａ〜３ｃとの通信により各モニタ３ａ〜３ｃの給電状態が変化したことを判断できる。また、優先順位の高い一のモニタ３ａ〜３ｃの給電状態が変化した場合、ＰＣ１は優先順位の低い他のモニタ３ａ〜３ｃへ給電状態を変化させる命令を送信することで、他のモニタ３ａ〜３ｃの給電オン／オフを制御することができる。これらにより、ユーザは複数のモニタ３ａ〜３ｃのうち優先順位の高い一のモニタ３ａ〜３ｃに対する給電オン／オフの操作を行うのみで、全てのモニタ３ａ〜３ｃの給電オン／オフを一括して行うことができる。また、優先順位の低いモニタ３ａ〜３ｃの給電状態が変化した場合には、ＰＣ１は優先順位の高い他のモニタ３ａ〜３ｃの給電状態を変化させることはないため、ユーザは使用しないモニタ３ａ〜３ｃを個別に給電オフして節電することができる。
【００７２】
また、ＰＣ１が優先順位設定ウインドウ６０を表示して、各モニタ３ａ〜３ｃの優先順位をユーザが設定可能な構成とすることにより、ユーザの使用状況などに適したモニタ３ａ〜３ｃの給電制御を行うことができるため、表示システムの利便性を向上することができる。また、ハードディスク１５に記憶された給電制御プログラム５０を実行することでＰＣ１が給電制御処理を行う構成とすることにより、汎用的なコンピュータを用いて給電制御処理を行うことができるため、本発明の表示システムの汎用性を向上することができる。
【００７３】
なお、本実施の形態においては、優先順位を「高」「低」の２段階、又は「高」「中」「低」の３段階としたが、これに限るものではなく、４段階以上の優先順位を設定可能な構成としてもよい。また、３段階以上の優先順位を付した場合に、最高優先順位が付されたモニタに対する給電オン／オフの操作がなされたときにのみその他のモニタの給電をオン／オフし、２番目〜最低の優先順位が付されたモニタに対する給電オン／オフの操作がなされたときに他のモニタの給電オン／オフを行わない構成としてもよい。
【００７４】
また、１つのＰＣ１に３つのモニタ３ａ〜３ｃを接続する構成としたが、これに限るものではなく、２つ又は４つ以上のモニタを接続する構成としてもよい。また、３つのモニタ３ａ〜３ｃをケーブル５にてそれぞれＰＣ１に接続する構成、所謂スター型の構成としたが、これに限るものではなく、一のモニタに他のモニタを接続するデイジーチェイン型の構成としてもよく、バス型の構成としてもよく、その他の構成で接続してもよい。また、ＰＣ１とモニタ３ａ〜３ｃとを１本のＤＶＩ規格のケーブル５でそれぞれ接続し、ＰＣ１及びモニタ３ａ〜３ｃ間の通信をＤＤＣ／ＣＩで行う構成としたが、これに限るものではなく、例えばＨＤＭＩ−ＣＥＣ（High Definition Multimedia Inter - Consumer Electronics Control）など通信線を含む他の映像信号ケーブルを用いてもよく、画像信号を伝送するケーブルとは別にＵＳＢ（Universal Serial Bus）ケーブルのような通信用のケーブルを別に接続する構成としてもよく、通信を無線で行う構成としてもよく、その他の構成でＰＣ１及びモニタ３ａ〜３ｃを接続してもよい。
【００７５】
また、図６に示した各モニタ３ａ〜３ｃの優先順位を設定するための優先順位設定ウインドウ６０は一例であって、これに限るものではない。優先順位の設定に優先順位設定ウインドウ６０を用いるのではなく、例えば各モニタ３ａ〜３ｃに設けられたハードウェアスイッチの切り替えにより行う構成としてもよい。また、各モニタ３ａ〜３ｃの優先順位をユーザが設定するのではなく、ＰＣ１が自動的に決定する構成としてもよい。例えば、ＰＣ１にて動作するＯＳがマルチウインドウの機能を有しており、モニタ３ａ〜３ｃに複数のウインドウが表示されている場合に、ユーザが使用していたウインドウ（アクティブなウインドウ）を表示しているモニタをＰＣ１が判定し、このモニタを最高優先順位に自動的に決定する構成とすることができる。
【００７６】
また、優先順位の高い一のモニタ３ａ〜３ｃに対する給電オン／オフの両操作がなされた場合に、優先順位の低い他のモニタ３ａ〜３ｃの給電オン／オフの制御を行う構成としたが、これに限るものではなく、給電オフ操作がなされた場合にのみ給電オフの制御を行い、給電オン操作がなされた場合には給電オンの制御を行わない構成としてもよい。また、モニタ３ａ〜３ｃの給電オン／オフの制御機能をＰＣ１の給電制御プログラム５０の実行により実現する構成としたが、これに限るものではなく、ＰＣ１のハードウェア機能として実現する構成としてもよい。
【００７７】
また、図９に示したフローチャートのステップＳ２２及び図１０に示したフローチャートのステップＳ３２において、各モニタ３ａ〜３ｃから通知される給電状態をＰＣ１が取得しない場合に、取得するまで待機する構成としたが、モニタ３ａ〜３ｃが給電オフの状態で通信を行わない構成のとき、給電状態をＰＣ１が所定時間内に取得できない場合にはモニタ３ａ〜３ｃが給電オフの状態と判断してもよい。
【００７８】
（変形例１）
上述の実施の形態１に係る表示システムでは、ＰＣ１が通信部２２の通信により各モニタ３ａ〜３ｃの給電状態を定期的に取得して、各モニタ３ａ〜３ｃの給電状態の変化の有無を判断する構成としたが、これに限るものではなく、例えば各モニタ３ａ〜３ｃがＰＣ１へ給電オン／オフの通知を行う構成としてもよい。
【００７９】
図１１は、本発明の実施の形態１の変形例１に係る表示システムのモニタ３ａ〜３ｃが給電オン／オフの際に行う処理の手順を示すフローチャートである。モニタ３ａ〜３ｃの制御部３１は、操作部３３にて給電オンの操作がなされたか否かを判定し（ステップＳ５１）、給電オンの操作がなされていない場合には（Ｓ５１：ＮＯ）、通信部３８にてＰＣ１から給電オンの命令を受信したか否かを更に判定する（ステップＳ５２）。給電オンの命令を受信していない場合（Ｓ５２：ＮＯ）、制御部３１は、給電オン操作がなされるか、又は給電オンの命令を受信するまで待機する。
【００８０】
給電オンの操作がなされた場合（Ｓ５１：ＹＥＳ）、制御部３１は、給電部３４から各部への給電を開始して（ステップＳ５３）、表示処理部３５による表示部３２への画像表示を開始すると共に、通信部３８にてＰＣ１へ給電オンを通知する（ステップＳ５４）。なお、ＰＣ１へ給電オンを通知する場合には、制御部３１は通信部３８にて各モニタ３ａ〜３ｃを識別するための識別情報を付して通知を行う。これにより、給電オンの通知を受信したＰＣ１はいずれのモニタ３ａ〜３ｃからの通知であるかを判断できる。また、給電オンの命令を受信した場合（Ｓ５２：ＹＥＳ）、制御部３１は、給電部３４から各部への給電を開始する（ステップＳ５５）。
【００８１】
その後、制御部３１は、操作部３３にて給電オフの操作がなされたか否かを判定し（ステップＳ５６）、給電オフの操作がなされていない場合には（Ｓ５６：ＮＯ）、通信部３８にてＰＣ１から給電オフの命令を受信したか否かを更に判定する（ステップＳ５７）。給電オフの命令を受信していない場合（Ｓ５７：ＮＯ）、制御部３１は、給電オフの操作がなされるか、又は給電オンの命令を受信するまで待機する。
【００８２】
給電オフの操作がなされた場合（Ｓ５６：ＹＥＳ）、制御部３１は、給電部３４から各部への給電を停止すると共に（ステップＳ５８）、通信部３８にてＰＣ１へ給電オフを通知し（ステップＳ５９）、処理を終了する。また、給電オフの命令を受信した場合（Ｓ５７：ＹＥＳ）、制御部３１は、給電部３４から各部への給電を停止し（ステップＳ６０）、処理を終了する。
【００８３】
図１２は、本発明の実施の形態１の変形例１に係る表示システムのＰＣ１が行う給電オフ制御の処理手順を示すフローチャートである。なお、図示のフローチャートはモニタ３ａ〜３ｃの優先順位が「高」「中」「低」の３段階で設定されている場合である。ＰＣ１のＣＰＵ１１は、各接続端子２０ａ〜２０ｃの通信部２２にてモニタ３ａ〜３ｃから給電オフの通知を受信したか否かを判定し（ステップＳ７１）、給電オフの通知を受信していない場合には（Ｓ７１：ＮＯ）、給電オフの通知を受信するまで待機する。
【００８４】
給電オフの通知を受信した場合（Ｓ７１：ＹＥＳ）、ＣＰＵ１１は、この通知を送信したモニタ３ａ〜３ｃの給電状態が給電オンから給電オフに変化したと判断し、予め設定された優先順位を読み出すことによって、この通知を送信したモニタ３ａ〜３ｃの優先順位を判定する（ステップＳ７２）。判定の結果、ＣＰＵ１１はこのモニタ３ａ〜３ｃの優先順位が「高」であるか否かを調べ（ステップＳ７３）、優先順位が「高」の場合（Ｓ７３：ＹＥＳ）、優先順位が「中」及び「低」の他のモニタ３ａ〜３ｃへ給電オフの命令を送信し（ステップＳ７５）、処理を終了する。
【００８５】
給電オフを通知したモニタ３ａ〜３ｃの優先順位が「高」でない場合（Ｓ７３：ＮＯ）、ＣＰＵ１１は、優先順位が「中」であるか否かを更に調べる（ステップＳ７４）。優先順位が「中」の場合（Ｓ７４：ＹＥＳ）、ＣＰＵ１１は、優先順位が「低」の他のモニタ３ａ〜３ｃへ給電オフの命令を送信し（ステップＳ７６）、処理を終了する。優先順位が「中」でない場合（Ｓ７４：ＮＯ）、即ち優先順位が「低」の場合、ＣＰＵ１１は給電オフの命令を送信せずに処理を終了する。
【００８６】
図１３は、本発明の実施の形態１の変形例１に係る表示システムのＰＣ１が行う給電オン制御の処理手順を示すフローチャートである。ＰＣ１のＣＰＵ１１は、各接続端子２０ａ〜２０ｃの通信部２２にてモニタ３ａ〜３ｃから給電オンの通知を受信したか否かを判定し（ステップＳ８１）、給電オンの通知を受信していない場合には（Ｓ８１：ＮＯ）、給電オンの通知を受信するまで待機する。
【００８７】
給電オンの通知を受信した場合（Ｓ８１：ＹＥＳ）、ＣＰＵ１１は、この通知を送信したモニタ３ａ〜３ｃの給電状態が給電オフから給電オンに変化したと判断し、予め設定された優先順位を読み出すことによって、この通知を送信したモニタ３ａ〜３ｃの優先順位を判定する（ステップＳ８２）。判定の結果、ＣＰＵ１１はこのモニタ３ａ〜３ｃの優先順位が「高」であるか否かを調べ（ステップＳ８３）、優先順位が「高」の場合（Ｓ８３：ＹＥＳ）、優先順位が「中」及び「低」の他のモニタ３ａ〜３ｃへ給電オンの命令を送信し（ステップＳ８５）、処理を終了する。
【００８８】
給電オンを通知したモニタ３ａ〜３ｃの優先順位が「高」でない場合（Ｓ８３：ＮＯ）、ＣＰＵ１１は、優先順位が「中」であるか否かを更に調べる（ステップＳ８４）。優先順位が「中」の場合（Ｓ８４：ＹＥＳ）、ＣＰＵ１１は、優先順位が「低」の他のモニタ３ａ〜３ｃへ給電オンの命令を送信し（ステップＳ８６）、処理を終了する。優先順位が「中」でない場合（Ｓ８４：ＮＯ）、即ち優先順位が「低」の場合、ＣＰＵ１１は給電オンの命令を送信せずに処理を終了する。
【００８９】
以上の構成の変形例１に係る表示システムは、上述の実施の形態１に係る表示システムと同様の効果を得ることができる。
【００９０】
（変形例２）
上述の実施の形態１に係る表示システムは、優先順位の高いモニタ３ａ〜３ｃが給電オン／オフされた場合に、優先順位の低いモニタ３ａ〜３ｃの給電状態を同じ状態とするように、自動的に給電オン／オフを行う構成とした。しかし、給電オンについては、優先順位が低いモニタ３ａ〜３ｃに対する給電オン操作によって、優先順位の高いモニタ３ａ〜３ｃを自動的に給電オンする方がよい場合もある。変形例２においてはこの構成について説明する。
【００９１】
図１４は、本発明の実施の形態１の変形例２に係る表示システムの給電制御処理を説明するための模式図である。図示の例では、ＰＣ１に接続された３つのモニタ３ａ〜３ｃに予め「高」、「中」、「低」の３段階の優先度が設定されているものとする。
【００９２】
３つのモニタ３ａ〜３ｃの全てが給電オフの状態において（図１４（ａ）参照）、優先順位が「高」のモニタ３ａの操作部３３に対してユーザの給電オン操作がなされた場合、モニタ３ａが給電オンされると共に、ＰＣ１は通信部２２が行う通信によりモニタ３ａの給電状態を取得する。これにより、ＰＣ１はモニタ３ａの給電状態が給電オフから給電オンに変化したと認識するが、モニタ３ａより優先順位の高い他のモニタが存在しないため、他のモニタ３ｂ又は３ｃの給電オンを行うことはない（図１４（ｂ）参照）。
【００９３】
３つのモニタ３ａ〜３ｃの全てが給電オフの状態において（図１４（ａ）参照）、優先順位が「中」のモニタ３ｂの操作部３３に対してユーザの給電オン操作がなされた場合、モニタ３ｂが給電オンされると共に、ＰＣ１は通信部２２が行う通信によりモニタ３ｂの給電状態を取得する。これにより、ＰＣ１はモニタ３ｂの給電状態が給電オフから給電オンに変化したと認識し、モニタ３ｂより優先順位の高いモニタ３ａへ給電オンの命令を送信する。給電オンの命令を受信したモニタ３ａは給電部３４から各部への給電を開始し、これにより２つのモニタ３ａ及び３ｂが給電オン状態となる（図１４（ｃ）参照）。
【００９４】
また、３つのモニタ３ａ〜３ｃの全てが給電オフの状態において（図１４（ａ）参照）、優先順位が「低」のモニタ３ｃの操作部３３に対してユーザの給電オン操作がなされた場合、モニタ３ｃが給電オンされると共に、ＰＣ１は通信部２２が行う通信によりモニタ３ｃの給電状態を取得する。これにより、ＰＣ１はモニタ３ｃの給電状態が給電オフから給電オンに変化したと認識し、モニタ３ｃより優先順位の高い２つのモニタ３ａ及び３ｂへ給電オンの命令を送信する。給電オンの命令を受信したモニタ３ａ及び３ｂは給電部３４から各部への給電を開始し、これにより３つのモニタ３ａ〜３ｃが給電オン状態となる（図１４（ｄ）参照）。
【００９５】
以上のように、給電オフについては操作を受け付けたモニタ３ａ〜３ｃより優先順位の低いモニタ３ａ〜３ｃを連動して給電オフし、給電オンについては操作を受け付けたモニタ３ａ〜３ｃより優先順位の高いモニタ３ａ〜３ｃを連動して給電オンする構成としてもよい。これは、例えば図１０に示す実施の形態１に係る表示装置のＰＣ１が行う処理において、給電オフから給電オンに変化したモニタの優先順位が「高」であると判定した場合（Ｓ３５：ＹＥＳ）には給電オンの命令を送信することなく処理を終了し、優先順位が「中」であると判定した場合（Ｓ３６：ＹＥＳ）には、優先順位が「高」のモニタ３ａ〜３ｃへ給電オンの命令を送信し、優先順位が「中」でない場合（Ｓ３６：ＮＯ）、即ち優先順位が「低」の場合には、優先順位が「高」及び「中」のモニタ３ａ〜３ｃへ給電オンの命令を送信する構成とすることにより実現できる。
【００９６】
（実施の形態２）
上述の実施の形態１に係る表示システムは、優先順位の高いモニタ３ａ〜３ｃの給電オン操作を行った場合、優先順位が低いその他全てのモニタ３ａ〜３ｃの給電がＰＣ１により一括して給電オンされる構成である。これに対して実施の形態２に係る表示システムは、優先順位の高いモニタ３ａ〜３ｃの給電オフ操作により全てのモニタ３ａ〜３ｃを給電オフする際に、ＰＣ１が各モニタ３ａ〜３ｃの給電状態を記憶しておき、その後に全てのモニタ３ａ〜３ｃを一括して給電オンする際には、給電オフ時の給電状態に復帰させるようにＰＣ１が各モニタ３ａ〜３ｃの給電制御を行う構成である。
【００９７】
図１５は、本発明の実施の形態２に係る表示システムの給電制御処理を説明するための模式図である。なお、本例においては、３つのモニタ３ａ〜３ｃには「高」「低」の２段階の優先順位が設定されているものとする。優先順位「高」のモニタ３ａ及び優先順位「低」のモニタ３ｂが給電オンの状態であり、優先順位「低」のモニタ３ｃが給電オフの状態である場合において（図１５（ａ）参照）、優先順位が高いモニタ３ａの操作部３３に対してユーザの給電オフ操作がなされた場合、モニタ３ａの給電がオフされる。ＰＣ１は、モニタ３ａ〜３ｃの電源状態を定期的に取得しているため、モニタ３ａの給電状態が給電オンから給電オフに変化したことを判断し、優先順位が低い他のモニタ３ｂ及び３ｃの給電状態を取得してハードディスク１５に記憶すると共に、モニタ３ｂへ給電オフの命令を送信する。給電オフの命令を受信したモニタ３ｂ及び３ｃは給電部３４から各部への給電を停止して給電をオフし、全てのモニタ３ａ〜３ｃが給電オフ状態となる（図１５（ｂ）参照）。
【００９８】
その後、優先順位が高いモニタ３ａに対してユーザの給電オン操作がなされた場合、モニタ３ａの給電がオンされる。ＰＣ１は、モニタ３ａ〜３ｃの電源状態を定期的に取得しているため、モニタ３ａの給電状態が給電オフから給電オンに変化したことを判断し、ハードディスク１５に記憶しておいた給電オフ時の各モニタ３ａ〜３ｃの給電状態を読み出して、給電オフ時に給電オン状態であったモニタ３ｂへ給電オンの命令を送信する。給電オンの命令を受信したモニタ３ｂは給電部３４から各部への給電を開始するが、給電オンの命令を受信しないモニタ３ｃは給電を開始しないため、モニタ３ａ〜３ｃは給電オフ時の給電状態に復帰する（図１５（ｃ）参照）。
【００９９】
図１６は、本発明の実施の形態２に係る表示システムのＰＣ１が行う給電オフ制御の処理手順を示すフローチャートである。なお、図示のフローチャートはモニタ３ａ〜３ｃの優先順位が「高」「低」の２段階で設定されている場合である。ＰＣ１のＣＰＵ１１は、各接続端子２０ａ〜２０ｃの通信部２２にて給電状態の取得要求を各モニタ３ａ〜３ｃへ送信し（ステップＳ１０１）、給電状態の取得要求に応じてモニタ３ａ〜３ｃから通知される給電状態を全て取得したか否かを調べる（ステップＳ１０２）。給電状態を取得していない場合（Ｓ１０２：ＮＯ）、ＣＰＵ１１は全てのモニタ３ａ〜３ｃから給電状態を取得するまで待機する。
【０１００】
全てのモニタ３ａ〜３ｃから給電状態を取得した場合（Ｓ１０２：ＹＥＳ）、ＣＰＵ１１は、取得した各モニタ３ａ〜３ｃの給電状態をハードディスク１５などに記憶する（ステップＳ１０３）。次いで、ＣＰＵ１は、モニタ３ａ〜３ｃのいずれかの給電状態が給電オンから給電オフに変化したか否かを判定し（ステップＳ１０４）、給電状態が変化していなければ（Ｓ１０４：ＮＯ）、ステップＳ１０１へ戻り、上述の処理を繰り返し行う。給電状態が給電オンから給電オフに変化した場合（Ｓ１０４：ＹＥＳ）、ＣＰＵ１１は、給電状態が変化したモニタ３ａ〜３ｃの優先順位を判定する（ステップＳ１０５）。判定の結果、ＣＰＵ１１はこのモニタ３ａ〜３ｃの優先順位が「高」であるか否かを調べる（ステップＳ１０６）。
【０１０１】
優先順位が「高」の場合（Ｓ１０６：ＹＥＳ）、ＣＰＵ１１は、優先順位が「低」の他のモニタ３ａ〜３ｃへ給電オフの命令を送信し（ステップＳ１０７）、処理を終了する。優先順位が「高」でない場合（Ｓ１０６：ＮＯ）、即ち優先順位が「低」の場合、ＣＰＵ１１は給電オフの命令を送信せずに処理を終了する。なお、各モニタ３ａ〜３ｃの給電状態はハードディスク１５に記憶する構成としたが、これに限るものではなく、メモリ１２などのその他の記憶手段に記憶すればよいが、不揮発性の記憶手段に記憶することが望ましい。
【０１０２】
図１７は、本発明の実施の形態２に係る表示システムのＰＣ１が行う給電オン制御の処理手順を示すフローチャートである。ＰＣ１のＣＰＵ１１は、各接続端子２０ａ〜２０ｃの通信部２２にて給電状態の取得要求を各モニタ３ａ〜３ｃへ送信し（ステップＳ１１１）、給電状態の取得要求に応じてモニタ３ａ〜３ｃから通知される給電状態を全て取得したか否かを調べる（ステップＳ１１２）。給電状態を取得していない場合（Ｓ１１２：ＮＯ）、ＣＰＵ１１は全てのモニタ３ａ〜３ｃから給電状態を取得するまで待機する。
【０１０３】
全てのモニタ３ａ〜３ｃから給電状態を取得した場合（Ｓ１１２：ＹＥＳ）、ＣＰＵ１１は、モニタ３ａ〜３ｃのいずれかの給電状態が給電オフから給電オンに変化したか否かを判定し（ステップＳ１１３）、給電状態が変化していなければ（Ｓ１１３：ＮＯ）、ステップＳ１１１へ戻り、上述の処理を繰り返し行う。給電状態が給電オフから給電オンに変化した場合（Ｓ１１３：ＹＥＳ）、ＣＰＵ１１は、給電状態が変化したモニタ３ａ〜３ｃの優先順位を判定する（ステップＳ１１４）。判定の結果、ＣＰＵ１１はこのモニタ３ａ〜３ｃの優先順位が「高」であるか否かを調べる（ステップＳ１１５）。
【０１０４】
優先順位が「高」の場合（Ｓ１１５：ＹＥＳ）、ＣＰＵ１１は、図１６に示すフローチャートのステップＳ１０３にてハードディスク１５に記憶した給電オフ時の各モニタ３ａ〜３ｃの給電状態を読み出して（ステップＳ１１６）、前回の給電状態が給電オンであったモニタ３ａ〜３ｃへ給電オンの命令を送信することにより、優先順位が「低」のモニタ３ａ〜３ｃの給電状態を復帰させて（ステップＳ１１７）、処理を終了する。また、優先順位が「高」でない場合（Ｓ１１５：ＮＯ）、即ち優先順位が「低」の場合、ＣＰＵ１１は給電オンの命令を送信せずに処理を終了する。なお、ステップＳ１１７にてＰＣ１がモニタ３ａ〜３ｃの給電状態の復帰を行う際、既に給電オン状態のモニタ３ａ〜３ｃを給電オフに復帰させる必要はない。
【０１０５】
以上の構成の実施の形態２に係る表示システムは、優先順位の高い一のモニタ３ａ〜３ｃが給電オフ操作されて、ＰＣ１が優先順位の低い他のモニタ３ａ〜３ｃを給電オフする際に、各モニタ３ａ〜３ｃの給電状態を取得して記憶しておくことによって、その後に優先順位の高い一のモニタ３ａ〜３ｃが給電オン操作された場合に、ＰＣ１が記憶した給電状態に応じて各モニタ３ａ〜３ｃの給電状態を復帰させることができる。よって、給電オフの直前にユーザが使用していたモニタ３ａ〜３ｃは、次に給電オンされた後にもユーザが使用する可能性が高いため、給電オフ前の状態に各モニタ３ａ〜３ｃの給電状態を復帰させることで、ユーザの使用に適した給電制御を行うことができる。
【０１０６】
なお、実施の形態２に係る表示システムにおいては、実施の形態１に係る表示システムと同様に、ＰＣ１が定期的に各モニタ３ａ〜３ｃの給電状態を取得する構成としたが、これに限るものではなく、実施の形態１の変形例１に係る表示システムのように、モニタ３ａ〜３ｃに給電オン／オフの操作がなされた場合、操作を受け付けたモニタ３ａ〜３ｃがＰＣ１へ給電状態を通知する構成としてもよい。また、ＰＣ１とモニタ３ａ〜３ｃとを１本のＤＶＩ規格のケーブル５でそれぞれ接続し、ＰＣ１及びモニタ３ａ〜３ｃ間の通信をＤＤＣ／ＣＩで行う構成としたが、これに限るものではなく、例えばＨＤＭＩ−ＣＥＣ（High Definition Multimedia Inter - Consumer Electronics Control）など通信線を含む他の映像信号ケーブルを用いてもよく、画像信号を伝送するケーブルとは別にＵＳＢ（Universal Serial Bus）ケーブルのような通信用のケーブルを別に接続する構成としてもよく、通信を無線で行う構成としてもよく、その他の構成でＰＣ１及びモニタ３ａ〜３ｃを接続してもよい。
【０１０７】
なお、実施の形態２に係る表示システムのその他の構成は、実施の形態１に係る表示システムの構成と同様であるため、同様の箇所には同じ符号を付して詳細な説明を省略する。
【図面の簡単な説明】
【０１０８】
【図１】本発明に係る表示システムの構成を示すブロック図である。
【図２】本発明に係る表示システムの構成を示すブロック図である。
【図３】本発明の実施の形態１に係る表示システムの給電制御処理を説明するための模式図である。
【図４】本発明の実施の形態１に係る表示システムの給電制御処理を説明するための模式図である。
【図５】本発明の実施の形態１に係る表示システムの給電制御処理を説明するための模式図である。
【図６】本発明に係る表示システムにおけるモニタの優先順位の設定方法を説明するための模式図である。
【図７】本発明の実施の形態１に係る表示システムのモニタが給電オン／オフの際に行う処理の手順を示すフローチャートである。
【図８】本発明の実施の形態１に係る表示システムのモニタが行う処理の手順を示すフローチャートである。
【図９】本発明の実施の形態１に係る表示システムのＰＣが行う給電オフ制御の処理手順を示すフローチャートである。
【図１０】本発明の実施の形態１に係る表示システムのＰＣが行う給電オン制御の処理手順を示すフローチャートである。
【図１１】本発明の実施の形態１の変形例１に係る表示システムのモニタが給電オン／オフの際に行う処理の手順を示すフローチャートである。
【図１２】本発明の実施の形態１の変形例１に係る表示システムのＰＣが行う給電オフ制御の処理手順を示すフローチャートである。
【図１３】本発明の実施の形態１の変形例１に係る表示システムのＰＣが行う給電オン制御の処理手順を示すフローチャートである。
【図１４】本発明の実施の形態１の変形例２に係る表示システムの給電制御処理を説明するための模式図である。
【図１５】本発明の実施の形態２に係る表示システムの給電制御処理を説明するための模式図である。
【図１６】本発明の実施の形態２に係る表示システムのＰＣが行う給電オフ制御の処理手順を示すフローチャートである。
【図１７】本発明の実施の形態２に係る表示システムのＰＣが行う給電オン制御の処理手順を示すフローチャートである。
【符号の説明】
【０１０９】
１  ＰＣ（表示制御装置）
３ａ〜３ｃ  モニタ（表示装置）
５  ケーブル
１１  ＣＰＵ（判定手段、給電状態取得手段、給電制御手段）
１２  メモリ
１３  表示処理部
１４  操作部
１５  ハードディスク（給電状態記憶手段）
１６  ディスクドライブ
２０ａ〜２０ｃ  接続部
２１  画像信号出力部
２２  通信部（通信手段）
３１  制御部（給電状態通知手段）
３２  表示部
３３  操作部
３４  給電部
３５  表示処理部
３６  接続部
３７  画像信号入力部
３８  通信部（通信手段）
５０  給電制御プログラム（コンピュータプログラム）
６０  優先順位設定ウインドウ（設定受付手段）
【図１】
2010039076.tif 000003
【図２】
2010039076.tif 000004
【図３】
2010039076.tif 000005
【図４】
2010039076.tif 000006
【図５】
2010039076.tif 000007
【図６】
2010039076.tif 000008
【図７】
2010039076.tif 000009
【図８】
2010039076.tif 000010
【図９】
2010039076.tif 000011
【図１０】
2010039076.tif 000012
【図１１】
2010039076.tif 000013
【図１２】
2010039076.tif 000014
【図１３】
2010039076.tif 000015
【図１４】
2010039076.tif 000016
【図１５】
2010039076.tif 000017
【図１６】
2010039076.tif 000018
【図１７】
2010039076.tif 000019